【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
組込みディジタル信号処理（ＤＳＰ）モデリング機能を有し且つボディと少なくとも１つの弦を有する弦楽器であって、
弦が結合され、その弦の振動信号を検出するピックアップと；
弦の検出された振動信号をディジタル弦振動信号に変換するアナログ・ディジタル変換器と；
弦楽器のボディ内に配置され、エミュレートされたデジタル・トーン信号を作成するために複数の弦楽器の１つの対応する弦トーンをエミュレートするためにディジタル弦振動信号を処理するディジタル信号プロセッサと；
から構成され、エミュレートされた弦楽器用の対応する弦トーンのエミュレーションはエミュレートされた弦楽器のブリッジから離れた電磁ピックアップの場所をエミュレーティングすることを含むことを特徴とする弦楽器。
【請求項２】
エミュレートされたデジタル・トーン信号が、増幅デバイスへの出力用のエミュレートされたアナログトーン信号を形成するためにアナログ形式に変換される請求項１に記載の弦楽器。
【請求項３】
ユーザが、エミュレートされる複数の弦楽器の１つを選択できるようにする、弦楽器のボディに配置されたユーザ・インターフェースをさらに含む請求項１に記載の弦楽器。
【請求項４】
ユーザによって選択された弦楽器のモデリング係数をメモリからディジタル信号プロセッサに供給するためにユーザ・インターフェースに結合された制御プロセッサをさらに含む請求項３に記載の弦楽器。
【請求項５】
複数の弦楽器の１つの対応する弦トーンのエミュレーションが、有限インパルス応答（ＦＩＲ）フィルタを使用することを含む請求項１に記載の弦楽器。
【請求項６】
エミュレートされる弦楽器のための対応する弦トーンのエミュレーションは更に電磁ピックアップの高さをエミュレートすることを含む請求項１に記載の弦楽器。
【請求項７】
電磁ピックアップのピックアップ高さをエミュレートすることが、エミュレートされる弦楽器の対応する弦トーンに関する電磁ピックアップのピックアップ高さに関連する非線形ひずみをモデリングするために非線形利得を適用することを含む請求項６に記載の弦楽器。
【請求項８】
エミュレートされるデジタル・トーン信号が、複数の増幅器とキャビネット・セットアップの１つをエミュレートするために、さらなるディジタル信号処理を受ける請求項１に記載の弦楽器。
【請求項９】
ディジタル弦振動信号を処理することが、さらに、複数の異なる弦楽器の対応する弦トーンを同時にエミュレートすることを含む請求項１に記載の弦楽器。
【請求項１０】
エミュレートされる複数の弦楽器が複数のギターを含む請求項２に記載の弦楽器。
【請求項１１】
複数のギターの１つの対応する弦トーンのエミュレートされたアナログ振動信号が、標準ギター・ケーブルを使用して増幅デバイスに送られる請求項１０に記載の弦楽器。
【請求項１２】
組込みディジタル信号処理（ＤＳＰ）モデリング機能を有し、且つボディと少なくとも１つの弦を有する弦楽器であって、
弦が結合される、弦の振動信号を検出するピックアップと；
弦の検出された振動信号をディジタル弦振動信号に変換するアナログ・ディジタル変換器と；
ギターのボディ内に配置され、エミュレートされたデジタル・トーン信号を作成するために複数のギターの１つの対応する弦トーンをエミュレートするためにディジタル弦振動信号を処理するディジタル信号プロセッサと；
とから構成され、エミュレートされたギター用の対応する弦トーンのエミュレーションはエミュレートされた弦楽器のブリッジから離れた電磁ピックアップの場所をエミュレーティングすることを含むことを特徴とするギター。
【請求項１３】
エミュレートされたデジタル・トーン信号が、増幅デバイスへの出力用のエミュレートされたアナログトーン信号を形成するためにアナログ形式に変換される請求項１２に記載のギター。
【請求項１４】
ユーザが、エミュレートされる複数のギターの１つを選択できるようにする、ギターのボディに配置されたユーザ・インターフェースをさらに含む請求項１２に記載のギター。
【請求項１５】
ユーザによって選択されたギターのモデリング係数をメモリからディジタル信号プロセッサに供給するためにユーザ・インターフェースに結合された制御プロセッサをさらに含む請求項１４に記載のギター。
【請求項１６】
複数のギターの１つの対応する弦トーンのエミュレーションが、有限インパルス応答（ＦＩＲ）フィルタを使用することを含む請求項１２に記載のギター。
【請求項１７】
エミュレートされたギターの対応する弦トーンのエミュレーションは、更に場所とピックアップをエミュレートすることを含む請求項１２に記載のギター。
【請求項１８】
電磁ピックアップのピックアップ高さをエミュレートすることが、エミュレートされるギターの対応する弦トーンに関する電磁ピックアップのピックアップ高さに関連する非線形ひずみをモデリングするために非線形利得を適用することを含む請求項１７に記載のギター。
【請求項１９】
エミュレートされるデジタル・トーン信号が、複数の増幅器とキャビネット・セットアップの１つをエミュレートするために、さらなるディジタル信号処理を受ける請求項１２に記載のギター。
【請求項２０】
ディジタル弦振動信号を処理することが、さらに、複数のギターの対応する弦トーンを同時にエミュレートすることを含む請求項１２に記載のギター。
【請求項２１】
複数のギターの１つの対応する弦トーンのエミュレートされたアナログ振動信号が、標準ギター・ケーブルを使用して増幅デバイスに送られる請求項１３に記載のギター。
【請求項２２】
組込みディジタル信号処理（ＤＳＰ）モデリング機能を有する弦楽器を用いて複数の異なる弦楽器をエミュレートする方法であって、
少なくとも１つの弦の振動信号を検出することと；
弦の検出された振動信号をディジタル弦振動信号に変換することと；
エミュレートされたデジタル・トーン信号を作成するために複数の弦楽器の１つの対応する弦トーンをエミュレートするために弦楽器内でディジタル弦振動信号を処理することと；
を含み、エミュレートされた弦楽器用の対応する弦トーンのエミュレーションはエミュレートされた弦楽器のブリッジから離れた電磁ピックアップの場所をエミュレーティングすることを含むことを特徴とする弦楽器をエミュレートする方法。
【請求項２３】
エミュレートされたデジタル・トーン信号が、増幅デバイスへの出力用のエミュレートされたアナログトーン信号を形成するためにアナログ形式に変換される請求項２２に記載の方法。
【請求項２４】
振動信号がピックアップを用いて検出される請求項２２に記載の方法。
【請求項２５】
ユーザが、エミュレートされる複数の弦楽器の１つをユーザ・インターフェースを用いて選択できるようにすることをさらに含み、ユーザ・インターフェースが、弦楽器に配置される請求項２２に記載の方法。
【請求項２６】
ユーザによって選択された弦楽器をエミュレートする際に使用されるモデリング係数をメモリから供給することをさらに含む請求項２５に記載の方法。
【請求項２７】
複数の弦楽器の１つの対応する弦トーンのエミュレーションが、有限インパルス応答（ＦＩＲ）フィルタを使用することを含む請求項２２に記載の方法。
【請求項２８】
エミュレートされた弦楽器用の弦トーンのエミュレーションは電磁ピックアップのピックアップ高さをエミュレートすることを更に含む請求項２２に記載の方法。
【請求項２９】
電磁ピックアップのピックアップ高さをエミュレートすることが、エミュレートされる弦楽器の対応する弦に関する電磁ピックアップのピックアップ高さに関連する非線形ひずみをモデリングするために非線形利得を適用することを含む請求項２８に記載の方法。
【請求項３０】
エミュレートされるデジタル・トーン信号が、複数の増幅器とキャビネット・セットアップの１つをエミュレートするために、さらなるディジタル信号処理を受ける請求項２２に記載の方法。
【請求項３１】
ディジタル弦振動信号を処理することが、さらに、複数の異なる弦楽器の対応する弦トーンを同時にエミュレートすることを含む請求項２２に記載の方法。
【請求項３２】
エミュレートされる複数の弦楽器が、複数のギターを含む請求項２２に記載の方法。
【請求項３３】
複数のギターの１つの対応する弦トーンのエミュレートされたアナログ振動信号が、標準ギター・ケーブルを使用して増幅デバイスに送られる請求項２３に記載の方法。
【請求項３４】
組込みディジタル信号処理（ＤＳＰ）モデリング機能を有する弦楽器内のプロセッサによって実行される時に、プロセッサに
少なくとも１つの弦の振動信号を検出することと；
弦の検出された振動信号をディジタル弦振動信号に変換することと；
エミュレートされたデジタル・トーン信号を作成するために複数の弦楽器の１つの対応する弦トーンをエミュレートするために弦楽器内でディジタル弦振動信号を処理することと；
を実行させる命令を保管したプロセッサ可読媒体であって、エミュレートされた弦楽器用の対応する弦トーンのエミュレーションはエミュレートされた弦楽器のブリッジから離れた電磁ピックアップの場所をエミュレーティングすることを含むことを特徴とするプロセッサ可読媒体。
【請求項３５】
エミュレートされたデジタル・トーン信号が、増幅デバイスへの出力用のエミュレートされたアナログ振動信号を形成するためにアナログ形式に変換される請求項３４に記載のプロセッサ可読媒体。
【請求項３６】
振動信号がピックアップを用いて検出される請求項３４に記載のプロセッサ可読媒体。
【請求項３７】
ユーザが、エミュレートされる複数の弦楽器の１つをユーザ・インターフェースを用いて選択できるようにすることをさらに含み、ユーザ・インターフェースが弦楽器に配置される請求項３４に記載のプロセッサ可読媒体。
【請求項３８】
ユーザによって選択された弦楽器をエミュレートする際に使用されるモデリング係数をメモリから供給することをさらに含む請求項３７に記載のプロセッサ可読媒体。
【請求項３９】
複数の弦楽器の１つの対応する弦トーンのエミュレーションが、有限インパルス応答（ＦＩＲ）フィルタを使用することを含む請求項３４に記載のプロセッサ可読媒体。
【請求項４０】
エミュレートされる弦楽器の対応する弦トーンのエミュレーションが、電磁ピックアップのピックアップ高さをエミュレートすることを更に含む請求項３４に記載のプロセッサ可読媒体。
【請求項４１】
電磁ピックアップのピックアップ高さをエミュレートすることが、エミュレートされる弦楽器の対応する弦に関する電磁ピックアップのピックアップ高さに関連する非線形ひずみをモデリングするために非線形利得を適用することを含む請求項４０に記載のプロセッサ可読媒体。
【請求項４２】
エミュレートされるデジタル・トーン信号が、複数の増幅器とキャビネット・セットアップの１つをエミュレートするために、さらなるディジタル信号処理を受ける請求項３４に記載のプロセッサ可読媒体。
【請求項４３】
ディジタル弦振動信号を処理することが、さらに、複数の異なる弦楽器の対応する弦トーンを同時にエミュレートすることを含む請求項３４に記載のプロセッサ可読媒体。
【請求項４４】
エミュレートされる複数の弦楽器が、複数のギターを含む請求項３５に記載のプロセッサ可読媒体。
【請求項４５】
複数のギターの１つの対応する弦のエミュレートされたアナログ振動信号が標準ギター・ケーブルを使用して増幅デバイスに送られる請求項４４に記載のプロセッサ可読媒体。